(57)【要約】  【課題】  秘匿を要する画像データが他人に容易に盗まれるのを防止して、セキュリティ機能を高めた画像形成装置を提供する。  【解決手段】  画像データを読み取る画像読取手段２と、この画像読取手段２で読み取られた画像データを記憶する内部記憶手段３を備える画像形成装置において、装置本体１に画像データを記憶するメモリカード１０を着脱自在に設け、このメモリカード１０が装置本体１に装着されたときに、内部記憶手段３への電源供給を遮断する電源切換スイッチ２２（記憶防止手段）を備える。【選択図】  図１
2005080233.tif 000002
【特許請求の範囲】
【請求項１】
画像データを読み取る画像読取手段と、この画像読取手段で読み取られた画像データを記憶する内部記憶手段とを備える画像形成装置において、
装置本体に着脱自在に設けた、前記画像データを記憶する可搬型記憶媒体と、
前記可搬型記憶媒体が装置本体に装着されたときに、前記画像データが前記内部記憶手段へ記憶されることを防止する記憶防止手段と、
を備えることを特徴とする画像形成装置。
【請求項２】
前記記憶防止手段が、前記内部記憶手段への電源供給を遮断する電源遮断手段である請求項１に記載の画像形成装置。
【請求項３】
前記記憶防止手段が、前記内部記憶手段に前記画像データを転送するデータバスの経路を遮断するバス遮断手段である請求項１に記載の画像形成装置。
【請求項４】
前記可搬型記憶媒体が装置本体に装着されたときに、前記画像データが装置外部へ送信されることを防止する送信防止手段を備える請求項１に記載の画像形成装置。
【発明の詳細な説明】
【技術分野】
【０００１】
本発明は、複写機、プリンタ、ファクシミリ、複合機などの画像形成装置に関し、特に、セキュリティ機能を高めるための技術に関する。
【背景技術】
【０００２】
一般に、画像形成装置、例えば複合機においては、原稿をコピーする場合、画像読取手段が読み取った画像データをメモリ等の作業用記憶手段（テンポラリ記憶手段）に一時的に記憶した後、この作業用記憶手段から画像データを順次読み出しプリンタ部から出力する。また、このような作業用記憶手段を備えることで、電子ソート、両面コピー等の機能や画像データに対する画像処理を実現している。
【０００３】
従来、上記のような作業用記憶手段としては、データへのアクセス速度の観点から、ＤＲＡＭやフラッシュメモリ等の半導体メモリが使用されてきたが、近年のカラー対応の複合機等では、一時的に記憶するデータ量が多いため、上記のようなメモリの他に、従来は画像データの保存に用いられていたＨＤＤ（ハードディスク記憶装置）等の記憶手段も併用して使用されるようになっている（例えば、特許文献１等参照）。
【０００４】
なお、上記作業用記憶手段としては、ＤＲＡＭのように電源をオフするとデータが自然消失する揮発性のものや、フラッシュメモリやＨＤＤのように、電源をオフにしても自然消失しない不揮発性のものが共に使用されている。
【特許文献１】特開平１１−２７４９１号公報
【発明の開示】
【発明が解決しようとする課題】
【０００５】
従来の画像形成装置において、上記作業用記憶手段に記憶される画像データは、揮発性の記憶手段では電源がオフされるまでの間、また、不揮発性の記憶手段では他の画像データによって上書きされるまでの間は、作業用記憶手段上に記憶されたままの状態にある。
【０００６】
このような画像データが、例えば、重要書類のような部外者等に漏らすことができない秘匿性の高いものである場合、上記のように作業用記憶手段に記憶されたまま無管理の状態にあると、作業用記憶手段から画像データが取り出されて盗まれる恐れがあるというセキュリティ上の問題があった。
【０００７】
この対策として、画像データが記憶された作業用記憶手段に対して定期的に空データを上書きするなどして画像データを強制的に消去する処理を行い、秘匿を要する画像データがそのまま長期にわたって作業用記憶手段に記憶されないようにすることが行われている。
【０００８】
しかしながら、このようような処理は手間がかかる上、画像データの消去処理を行う時期が到来するまでは、依然として作業用記憶手段にそのまま画像データが残っているので、その間に画像データが他人に盗まれる恐れがある。
【０００９】
本発明は、上記の課題を解決するためになされたもので、秘匿を要する画像データが他人に盗まれるのを確実に防止できるようにして、セキュリティ機能を高めた画像形成装置を提供することを目的とする。
【課題を解決するための手段】
【００１０】
本発明は、画像データを読み取る画像読取手段と、この画像読取手段で読み取られた画像データを記憶する内部記憶手段とを備えた画像形成装置を前提としている。
【００１１】
本発明の画像形成装置は、装置本体に着脱自在に設けた、前記画像データを記憶する可搬型記憶媒体と、前記可搬型記憶媒体が装置本体に装着されたときに、前記画像データが前記内部記憶手段へ記憶されることを防止する記憶防止手段とを備える構成としている。
【００１２】
また、前記記憶防止手段としては、前記内部記憶手段への電源供給を遮断する電源遮断手段や前記内部記憶手段に前記画像データを転送するデータバスの経路を遮断するバス遮断手段を採用することができる。
【００１３】
これにより、可搬型記憶媒体を装置本体に装着したときに、画像読取手段で読み取られた画像データは、可搬型記憶媒体に記憶されて、内部記憶手段には記憶されなくなる。そして、画像データの記憶後は可搬型記憶媒体を装置本体から抜き取って保持できるので、秘匿を要する画像データが他人に容易に盗まれるのを防止でき、従来よりもセキュリティ機能を高めることが可能になる。
【００１４】
さらに、前記可搬型記憶媒体が装置本体に装着されたときに、前記画像データが装置外部へ送信されることを防止する送信防止手段を備える構成とすることが好ましい。
【００１５】
これにより、可搬型記憶媒体に画像データを記憶する際に、装置外部に画像データが不意に転送されるのを防止することができ、さらにセキュリティ機能が高まる。
【発明の効果】
【００１６】
以上説明したように、本発明の画像形成装置は、可搬型記憶媒体が装置本体に装着されたときに、画像データは内部記憶手段に記憶されることがなく、可搬型記憶媒体にのみ記憶される。
【００１７】
このため、可搬型記憶媒体を装置本体から抜き取って保持することで、秘匿を要する画像データが他人に容易に盗まれることを確実に防止でき、従来よりもセキュリティ機能を高めることが可能になる。
【００１８】
また、可搬型記憶媒体に画像データを記憶する際に、装置外部へ画像データを送信する送信手段への電源供給を遮断する、あるいは、送信手段に画像データを転送するデータバスの経路を遮断する等により、装置外部へのデータの送信を防止する構成とすれば、さらにセキュリティ機能を高めることができる。
【発明を実施するための最良の形態】
【００１９】
以下、本発明を画像形成装置としての複写機に適用した場合を例にとって説明する。
【００２０】
（第１の実施の形態）
図１は本発明の第１の実施の形態における複写機の全体構成を示すブロック図である。また、図２は、この複写機の動作を示すフロー図である。
【００２１】
複写機の装置本体１には、画像読取手段２で読み取られた画像データを一時的に記憶するＤＲＡＭやＨＤＤ等からなる内部記憶手段３を備えている。この内部記憶手段３に記憶された画像データは、画像処理手段４で各種画像処理が施された後、画像形成手段５により用紙上に出力される。
【００２２】
また、装置本体１には、可搬型記憶媒体であるメモリカード１０が着脱されるカードスロット部１１、及びこのカードスロット部１１に対するメモリカード１０の着脱状態を検出するカード検出器１２が設けられている。
【００２３】
なお、このような可搬型記憶媒体としては、メモリカードに限らず、ＣＤ−ＲＷやＭＯなどを適用することも可能である。この場合には、カードスロット部１１に代えて、ディスクドライブ装置などが適用される。
【００２４】
また、カード検出器１２としては、メモリカード１０の着脱に応じて機械的にオン／オフするスイッチや、光学的にメモリカード１０の装着の有無を検出する光センサなどを使用することができる。
【００２５】
さらに、装置本体１は、ネットワークに接続するインタフェイス部１５を備えており、ネットワークケーブル１６を介して外部の図示しないコンピュータ装置などと画像データを送受信できるようになっている。
【００２６】
一方、上記内部記憶手段３及びカードスロット部１１とこれらに電力を供給する電源部２１との間には、電源遮断手段である電源切換スイッチ２２が設けられている。この電源切換スイッチ２２は、上記カード検出器１２がメモリカード１０を検出していないときに内部記憶手段３に電力を供給し、メモリカード１０を検出したときに電源２１から内部記憶手段３への電力の供給を遮断してカードスロット部１１に電力を供給するようになっている。
【００２７】
また、上記電源切換スイッチ２２の内部記憶手段３側の端子には、インタフェイス部１５への電源供給線が接続されており、電源切換スイッチ２２によって内部記憶手段３への電源供給が遮断されたときに、インタフェイス部１５への電源供給も遮断される構成になっている。
【００２８】
次に、上記構成を備えた複写機の動作を図２に基づいて説明する。
【００２９】
秘匿を要しない画像をコピーする場合、ユーザは装置本体１にメモリカード１０を装着せずにコピーを行う（Ｓ１→Ｓ８）。
【００３０】
上述のように、メモリカード１０がカードスロット部１１に装着されない状態では、電源部２１からの電力は、電源切換スイッチ２２を介して内部記憶装置３及びインタフェイス部１５に供給されている。
【００３１】
したがって、画像読取手段２で読み取られた画像データは、内部記憶手段３に記憶された後、画像処理手段４に転送されて画像処理が施され、画像形成手段５から出力される。
【００３２】
このとき、読み取った画像データを外部装置へ転送する設定が複写機にされていれば、内部記憶手段３に記憶されている画像データは、インタフェイス部１５介して外部のコンピュータ装置などに送信される。
【００３３】
一方、秘匿を要する画像をコピーするような場合、ユーザはメモリカード１０をカードスロット部１１に装着する。このとき、カード検出器１２はメモリカード１０の装着を検出し、この検出信号を受けて電源切換スイッチ２２は、内部記憶手段３及びインタフェイス部１５への電源供給を遮断し、カードスロット部１１に電源供給を行う状態に切り換わる（Ｓ１→Ｓ２）。
【００３４】
したがって、画像読取手段２で読み取られた画像データは、電源供給が遮断された内部記憶装置３には記憶されず、カードスロット部１１を介してメモリカード１０に記憶される。そして、メモリカード１０に記憶された画像データは、画像処理手段４に読み出されて画像処理が施され、画像形成手段５から出力される（Ｓ３→Ｓ４）。
【００３５】
このとき、上述のようにインタフェイス部１５への電源供給も遮断されているため、秘匿を要する画像データがインタフェイス部１５を介して装置外部に送信されることもない。
【００３６】
そして、画像データの出力を完了した際に、ユーザはメモリカード１０をカードスロット部１１から抜き取ることで、秘匿を要する画像データは装置本体１に一切残らないことになる。このため、秘匿を要する画像データが他人に盗まれることを確実に防止することができる。すなわち、従来よりもセキュリティ機能を高めることができる。
【００３７】
なお、ユーザがメモリカード１０をカードスロット部１１から抜き取ると、カード検出器１２によってメモリカード１０の抜き取りが検出され、電源切換スイッチ２２は内部記憶手段３に電力を供給する状態に切り換わる（Ｓ５→Ｓ６）。これにより、内部記憶手段３及びインタフェイス部１５は、電源部２１から電力が供給されて通常のコピー動作が可能となる。
【００３８】
なお、本実施の形態では、電源遮断手段として電源切換スイッチ２２を採用し、メモリカード１０の有無によりこの電源切換スイッチ２２が内部記憶手段３（及びインタフェイス部１５）とカードスロット部１１との電源供給を切り換える構成としたが、上記電源遮断手段はメモリカード１０が装着されたときに内部記憶手段（及びインタフェイス部）への電源が遮断できる構成であればよい。
【００３９】
したがって、メモリカード１０が装着されたときにのみ内部記憶手段３（及びインタフェイス部１５）への電源を遮断するゲート回路を電源部２１と内部記憶手段３（及びインタフェイス部１５）との間に配置し、カードスロット部１１には常に電源を供給する構成としてもよいことは勿論である。
【００４０】
また、上記構成に加えて、カードスロット部１１にメモリカード１０が装着された状態で、複写機に対する操作が所定時間内に行われなかった場合に、警報を発するランプやブザー等の警報器１７を備える構成としてもよい（Ｓ５→Ｓ３→Ｓ７）。
【００４１】
このようにすれば、メモリカード１０の使用後、メモリカード１０をカードスロット部１１から抜き取るのを忘れてそのまま放置してしまうといったことを防止することができ、さらに一層セキュリティ機能を高めることができる。
【００４２】
（第２の実施の形態）
図３は本発明の第２の実施の形態における複写機の全体構成を示すブロック図である。なお、図１に示した第１の実施の形態と対応する構成部分には同一の符号を付している。また、図４は、この複写機の動作を示すフロー図である。
【００４３】
この実施の形態における複写機は、カードスロット部１１にメモリカード１０の装着したときに、画像読取手段２から内部記憶手段３への画像データを転送するデータバスの経路を遮断し、上記メモリカード１０に画像データを転送するバス遮断手段であるマルチプレクサ３１を備えている。
【００４４】
また、カードスロット部１１にメモリカード１０を装着にしたときに、内部記憶手段３とインタフェイス部１５との間において、画像データを転送するデータバスの経路を遮断するゲート回路３２を送受信防止手段として設けている。
【００４５】
さらに、本実施の形態では、メモリカード１０に、ユーザに対して個別に割り当てられたユーザＩＤ及びパスワードを予め登録する構成とし、装置本体１に、メモリカード１０を使用するときに、ユーザがこのパスワードの入力を行う入力手段１８及び、パスワードが一致しているか否かを判断する認証手段１９を備えた構成としている。
【００４６】
なお、この実施の形態では、カードスロット部１１へのメモリカード１０の装着の有無にかかわらず、常時、電源部２１からの電力を内部記憶手段３及びインタフェイス部１５に供給構成になっている。
【００４７】
その他の構成は、図１に示した第１の実施の形態の場合と同様である。
【００４８】
続いて、上記構成を備えた複写機の動作を図４に基づいて説明する。
【００４９】
上記複写機において、メモリカード１０がカードスロット部１１に装着されない状態では、マルチプレクサ３１は画像データの転送用のデータバスを内部記憶手段３に接続するとともに、ゲート回路３２は接続状態となっている（Ｓ１１→Ｓ１８）。
【００５０】
したがって、画像読取手段２で読み取られた画像データは、マルチプレクサ３１を介して内部記憶手段３に転送されて記憶された後、画像処理手段４を経て画像形成手段５から出力される。
【００５１】
また、上記第１の実施の形態と同様に、装置外部へのデータ転送が設定されている場合には、画像データはインタフェイス部１５を介して外部のコンピュータ装置などに送信される。
【００５２】
一方、秘匿を要する画像をコピーするような場合、メモリカード１０をカードスロット部１１に装着する。このとき、カード検出器１２がメモリカード１０の装着を検出した検出信号により、マルチプレクサ３１は、データバスをカードスロット部１１側に接続するとともに、ゲート回路３２は切断状態となる。（Ｓ１１→Ｓ１２）。
【００５３】
メモリカード１０を装着した後に、ユーザは入力手段１８からメモリカード１０に登録されているユーザＩＤ及びパスワードを入力する。
【００５４】
この入力により、認証手段１９はメモリカード１０に登録されているユーザＩＤ及びパスワードと入力手段１８から入力されたパスワードとを比較照合する（Ｓ１３）。
【００５５】
認証手段１９が一致と判定した場合、画像読取手段２で読み取られた画像データは、メモリカード１０にのみ記憶される状態で、コピーを実行することが可能となる（Ｓ１４→Ｓ１５）。
【００５６】
一方、認証手段１９が不一致と判定した場合、ユーザは、再度、ユーザＩＤとパスワードの入力を求められ、認証手段１９が一致と判定しない限り、メモリスロット部１１に装着したメモリカード１０を使用してコピーを実行することができない（Ｓ１３→Ｓ１１）。
【００５７】
このようにすれば、メモリカード１０に登録されているユーザ以外の者が、このメモリカード１０に画像データを記憶することはできない。すなわち、秘匿を要する画像データは、その画像の複写を許可されたユーザが管理するメモリカード１０にのみ記憶されるため、さらに一層セキュリティ機能を高めることができる。
【００５８】
そして、メモリカード１０をカードスロット部１１から抜き取ると、カード検出器１２によってメモリカード１０の抜き取りが検出され、この検出信号により、マルチプレクサ３１は、データバスを内部記憶手段３側に切り換え、ゲート回路３２は接続状態となる。このため、内部記憶手段３への画像データの記憶が可能になるとともに、インタフェイス部１５から画像データを外部に送信することが可能になる（Ｓ１６→Ｓ１７）。
【００５９】
なお、本実施の形態では、バス遮断手段としてマルチプレクサ３１を採用し、メモリカード１０の有無によりこのマルチプレクサが内部記憶手段３とカードスロット部１１とのデータバスの経路を切り換える構成としたが、上記バス遮断手段はメモリカード１０が装着されたときにのみ内部記憶手段へのデータバスの経路が遮断できる構成であればよい。
【００６０】
したがって、メモリカード１０が装着されたときにのみ内部記憶手段３へのデータバスの経路を遮断するゲート回路を画像読取手段２と内部記憶手段３との間に配置し、カードスロット部１１には常にデータバスの経路を接続する構成としてもよい。
【００６１】
また、上記構成に加えて、カードスロット部１１にメモリカード１０が装着された状態で、複写機に対する操作が所定時間内に行われなかった場合に、再度、ユーザＩＤ及びパスワードの入力が必要となる構成としてもよい（Ｓ１６→Ｓ１４→Ｓ１３）。
【００６２】
このようにすれば、メモリカード１０の使用後、メモリカード１０をカードスロット部１１から抜き取るのを忘れてそのまま放置した場合であっても、メモリカード１０に登録されていない者はそのメモリカード１０を使用する（画像データを記憶させる）ことができないため、秘匿を要する画像データを確実に管理することができる。
【００６３】
さらに、第１の実施の形態で説明した警報器１７を設けることで、メモリカード１０の抜き忘れも防止することが可能となる。
【００６４】
なお、上記実施の形態では、本発明を画像形成装置としての複写機に適用した場合を例にとって説明したが、このような複写機に限定されるものではなく、プリンタやファクシミリなどの他の画像形成装置にも本発明を適用することが可能である。
【図面の簡単な説明】
【００６５】
【図１】本発明の第１の実施の形態を示すブロック図である。
【図２】本発明の第１の実施の形態を示すフロー図である。
【図３】本発明の第２の実施の形態を示すブロック図である。
【図４】本発明の第２の実施の形態を示すフロー図である。
【符号の説明】
【００６６】
１  装置本体
２  画像読取手段
３  内部記憶手段
１０  メモリカード（可搬型記憶媒体）
１１  カードスロット部
１２  カード検出器
１５  インタフェイス部（送信手段）
１６  ネットワークケーブル
１７  警報器
１８  入力手段
１９  認証手段
２１  電源部
２２  電源切換スイッチ（電源遮断手段、記憶防止手段、送信防止手段）
３１  マルチプレクサ（バス遮断手段、記憶防止手段）
３２  ゲート回路（送信防止手段）
【図１】
2005080233.tif 000003
【図２】
2005080233.tif 000004
【図３】
2005080233.tif 000005
【図４】
2005080233.tif 000006